(57)【要約】【課題】光ディスク装置の動作に有害な外来電磁波が光ディスク装置内部へ進入してくるのを容易な構成で、確実に防ぐことができるため、耐電磁波シールド特性の安定性と生産性の向上が可能な光ディスク装置を提供することを目的とする。【解決手段】本発明の光ディスク装置は、筐体と、筐体から出没自在に取り付けられたトレイと、トレイを筐体２内に収納する際に筐体２の開口を塞ぐベゼル１０とを備え、ベゼル１０は主平面部の少なくとも一方に導電性の金属部材１５を配置し、トレイが筐体内に収納されている時に、導電性の金属部材１５を形成する少なくとも１つの面が筐体に接触していることを特徴とする。【選択図】図２
2006024278.tif 000002
【特許請求の範囲】
【請求項１】
筐体と、前記筐体から出没自在に取り付けられたトレイと、前記トレイを前記筐体内に収納する際に前記筐体の開口を塞ぐベゼルとを備え、前記ベゼルは２つの主平面部の少なくとも一方に金属部材を配置し、前記トレイが前記筐体内に収納されている時に、前記金属部材を形成する少なくとも１つの面が筐体に接触していることを特徴とする光ディスク装置。
【請求項２】
前記金属部材は、前記ベゼルの２つの主平面部の少なくとも一方と接する第１の面と、第１の面に対し略９０°の角度で隣接した第２，第３の面と、第２，第３の面に対して各々略９０°の角度で隣接した第４，第５の面を有し、第２，第３の面は略平行に対向していることを特徴とする請求項１記載の光ディスク装置。
【請求項３】
前記金属部材を形成する前記第４の面または前記第５の面の少なくとも一方は、前記トレイが前記筐体内に収納されている時に、前記筐体の主平面部の厚みを形成している面と接触していることを特徴とする請求項１、２いずれか１項に記載の光ディスク装置。
【請求項４】
前記金属部材を形成する前記第２の面または前記第３の面の少なくとも一方は、前記筐体の主平面部と略平行であることを特徴とする請求項１〜３いずれか１項に記載の光ディスク装置。
【請求項５】
前記金属部材を形成する前記第４の面または前記第５の面の少なくとも一方は、ベゼルとの間に空隙を有したことを特徴とする請求項１〜４いずれか１項に記載の光ディスク装置。
【請求項６】
前記金属部材は、前記ベゼルの主平面部と直交する方向で前記ベゼルと嵌合することを特徴とする請求項１〜５いずれか１項に記載の光ディスク装置。
【請求項７】
前記金属部材は、切り欠きまたは貫通孔の少なくとも一方を有することを特徴とする請求項１〜６いずれか１項に記載の光ディスク装置。
【発明の詳細な説明】
【技術分野】
【０００１】
本発明は、光ピックアップにより光ディスクに対して情報の記録又は再生の少なくとも一方を行なう光ディスク装置に関するものである。
【背景技術】
【０００２】
光ディスク装置は、ＣＤ−ＲＯＭ／Ｒ／ＲＷ、ＤＶＤ−ＲＯＭ／ＲＡＭ／Ｒ／ＲＷなどがすでに実用化されており、各方面への応用と高性能化への開発が活発に行われている。特に最近では、パーソナルコンピュータの急速な市場拡大に伴い、光ディスク装置のパーソナルコンピュータへの内蔵普及率も高くなっている。電子機器に搭載される光ディスクの装着方法としては、筐体よりトレイが引き出され、このトレイに光ディスクを取り付け、再び筐体に戻して装着する方式（以下トレイ方式と称する）が一般的である。以下、従来のトレイ方式光ディスク装置の構成について、図７、図８を参照して説明する。
【０００３】
図７は、従来の光ディスク装置の外観図である。図７において、１は光ディスク装置、２は筐体、２ａは上部筐体部、２ｂは下部筐体部、３はトレイ、４は光ピックアップモジュール、５はレール、６ａは筐体側レール保持部、６ｂはトレイ側レール保持部、７はスピンドルモータ、７ａは光ディスク装着部、８は金属製カバー、８ａは開口、９はキャリッジ、１０はベゼル、１１はイジェクトボタン、１２は光ピックアップである。
【０００４】
光ディスク装置１は、筐体２と、筐体２に出没自在に保持されたトレイ３を有している。筐体２は、金属製の上部筐体部２ａ、下部筐体部２ｂを組み合わせて袋状であり、筐体２の開口からトレイ３が出没する構成となっている。トレイ３には、裏面から光ピックアップモジュール４が取り付けられている。トレイ３の両側部には移動自在にレール５が設けられ、このレール５は、トレイ３に一体に設けられたトレイ側レール保持部６ｂに保持されている。なお、図７では、一方の側部にのみレール５が設けられているが、他方の側面部に同様のレールが設けられていてもよい。上部筐体部２ａと下部筐体部２ｂとは図示していない係止手段と螺旋などを用いて、互いに強固に固定されている。
【０００５】
光ピックアップモジュール４は、光ディスクを回転駆動させるスピンドルモータ７と、スピンドルモータ７から外周にかけて開口８ａを設けた金属製カバー８と、開口８ａから一部が露出したキャリッジ９を少なくとも有している。キャリッジ９は、光ピックアップモジュール４に設けられた複数の案内シャフトに移動自在に保持されており、しかも図示していないフィードモータによって、スピンドルモータ７に近づいたり、離れたりするように移動できる。
【０００６】
１０はトレイ３の前面に設けられたベゼルで、ベゼル１０は筐体２の開口を塞ぐ程度の大きさで構成されている。キャリッジ９には、高出力のレーザーダイオード等の光源，各種光学部材及び光ディスク上に光スポットを構成する対物レンズなどが搭載されている。筐体２の奥部には固定して設けられた回路基板があり、回路基板には信号処理系のＩＣや電源回路などが搭載されている。トレイ３に設けられた図示していない回路基板同士を電気的に接続するフレキシブルケーブルは、略Ｕ字型に形成され、外部コネクタはコンピュータ等の電子機器に設けられた電源／信号ラインと接続される。そして、この外部コネクタを介して光ディスク装置１内に電力を供給したり、あるいは外部からの信号を光ディスク装置１内に導いたり、あるいは光ディスク装置１で生成された電気信号を電子機器などに送出する。トレイ３の前端面に設けられたベゼル１０にはイジェクトボタン１１が設けられており、このイジェクトボタン１１を押すことで、筐体２に設けられた係合部とトレイ３に設けられた係合部との係合を解除し、トレイ３は筐体２から光ディスクが着脱でき
るよう引き出すことができる。
【０００７】
図８は、従来の光ディスク装置のベゼルと導電布を示す図であり、イジェクトボタン１１が設けられた面と反対側の主平面部を見た図であり、金属平板１４と導電布１３の双方でベゼル１０の２つの主平面部の一方が覆われている様子を示したものである。図８において、１０はベゼル、１３は導電布、１４は金属平板である。導電布１３は、布製の導電性材料であり、電磁波などに対するシールド効果を有している。また、金属平板１４は、ステンレスなどの導電性材料を用いて略平板上に形成され、イジェクトボタン１１を介して光ディスク装置１に影響を与える静電気対策を目的としたものである。ベゼル１０は、上部筐体部２ａと下部筐体部２ｂを組み合わせて袋状の筐体２の開口を塞ぐことによって、ゴミなどが筐体２の内部に入り込むことや使用者が動作中の光ディスク装置１の内部に触れることを防ぐ役目を果たす。また同時に、ベゼル１０は、携帯電話などの他の電子機器から発生される電磁波が光ディスク装置１の内部に進入し、光ディスク装置１を誤動作させたり不具合を発生させるのを防ぐ必要があるため、ベゼル１０のイジェクトボタン１１が設けられた面と反対側の主平面部の全面に外来電磁波対策を行なうのが一般的である。通常、ベゼル１０のイジェクトボタン１１が設けられた面と反対側の主平面部には、使用者がイジェクトボタン１１を押す際に光ディスク装置１に影響を与える静電気対策のための金属平板１４が、ベゼル１０のイジェクトボタン１１近傍にのみ設けられているため、それ以外の部分を導電布１３で覆うことになる。ベゼル１０に導電布１３が設けられてなく、外来電磁波が光ディスク装置１の内部に進入した場合は、光ピックアップ１２のアクチュエータコイルが共振振動し、光ピックアップ１２の可動動作の制御ができなくなったり、光ピックアップ１２のレーザーパワー検知手段が誤動作しレーザーパワー制御ができなくなったり、回路基板のパターンやフレキシブルケーブルを介して信号にノイズが発生したりという誤動作や不具合が発生する。
【０００８】
先行例としては、（特許文献１）等がある。
【特許文献１】特開平９−３２６１９１号公報
【発明の開示】
【発明が解決しようとする課題】
【０００９】
光ディスク装置１内部への外来電磁波の進入を防止するためには、光ディスク装置１全体を覆う筐体２とベゼル１０への対策が必要である。筐体２は、導電性の金属材料で構成されていることが一般的であるため、特に問題無いのであるが、ベゼル１０は搭載されるパーソナルコンピュータとのデザインに統一感を出すため、通常パーソナルコンピュータの外形と同様の樹脂材料が用いられる。そのため、ベゼル１０には、その内側つまりイジェクトボタン１１が設けられた面と反対側の主平面部の静電気対策のために設けられた金属平板１４で覆われていない部分に導電布１３を付加することで、ベゼル１０の主平面部からの外来電磁波の進入を防いでいた。
【００１０】
しかしながら、図８に示す金属平板１４と導電布１３の双方でベゼル１０が覆われている場合においては、ベゼル１０を覆った導電布１３の一部を筐体２に接触させ、アースラインを確保する必要があるが、導電布１３を確実に筐体２に接触させるために行なう導電布１３のベゼル１０への取り付け作業は、非常に難しく生産性の低下を招いていた。また、導電布１３は布製であるため、その位置規制が容易ではなく、電磁波シールド特性に対してばらつきを生じていた。
【００１１】
本発明は上記課題を解決するものであり、光ディスク装置の動作に有害な外来電磁波が光ディスク装置内部へ進入してくるのを容易な構成で、確実に防ぐことができるため、耐電磁波シールド特性の安定性と生産性の向上が可能な光ディスク装置を提供することを目的とする。
【課題を解決するための手段】
【００１２】
本発明は、筐体と、前記筐体から出没自在に取り付けられたトレイと、前記トレイを前記筐体内に収納する際に前記筐体の開口を塞ぐベゼルとを備え、前記ベゼルは２つの主平面部の少なくとも一方に金属部材を配置し、前記トレイが前記筐体内に収納されている時に、前記金属部材を形成する少なくとも１つの面が筐体に接触していることを特徴とするものである。
【発明の効果】
【００１３】
本発明は上記構成により、筐体と、前記筐体から出没自在に取り付けられたトレイと、前記トレイを前記筐体内に収納する際に前記筐体の開口を塞ぐベゼルとを備え、前記ベゼルは２つの主平面部の少なくとも一方に金属部材を配置し、前記トレイが前記筐体内に収納されている時に、前記金属部材を形成する少なくとも１つの面が筐体に接触していることによって、金属部材を形成する少なくとも１つの面が筐体に接触していることにより、筐体と金属部材のアースラインの確保が強固なものとなるため、光ディスク装置の外形を構成する一平面のベゼル主平面部からの外来電磁波の進入を容易な構成で、確実に防ぐことができる。
【００１４】
このことによって、光ディスク装置の動作に有害な外来電磁波が光ディスク装置内部へ進入してくるのを容易な構成で、確実に防ぐことができるため、耐電磁波シールド特性の安定性と生産性の向上が可能な光ディスク装置を実現することができる。
【発明を実施するための最良の形態】
【００１５】
請求項１記載の発明は、筐体と、前記筐体から出没自在に取り付けられたトレイと、前記トレイを前記筐体内に収納する際に前記筐体の開口を塞ぐベゼルとを備え、前記ベゼルは２つの主平面部の少なくとも一方に金属部材を配置し、前記トレイが前記筐体内に収納されている時に、前記金属部材を形成する少なくとも１つの面が筐体に接触していることを特徴とするものである。ベゼルは２つの主平面部の少なくとも一方に金属部材を配置し、トレイが筐体内に収納されている時に、金属部材を形成する少なくとも１つの面が筐体に接触していることによって、筐体と金属部材のアースラインの確保が強固なものとなるため、光ディスク装置の外形を構成する一平面のベゼル主平面部からの外来電磁波の進入を容易な構成で、確実に防ぐことができるため、耐電磁波シールド特性の安定性と生産性の向上が可能な光ディスク装置を実現することができる。
【００１６】
請求項２記載の発明は、前記金属部材が、前記ベゼルの２つの主平面部の少なくとも一方と接する第１の面と、第１の面に対し略９０°の角度で隣接した第２，第３の面と、第２，第３の面に対して各々略９０°に隣接した第４，第５の面を有し、第２，第３の面は略平行に対向していることを特徴とするものである。金属部材が、ベゼルの２つの主平面部の少なくとも一方と接する第１の面と、第１の面に対し略９０°に隣接した第２，第３の面と、第２，第３の面に対して、各々略９０°の角度で隣接した第４，第５の面を有し、第２，第３の面は略平行に対向していることによって、金属部材を形成する少なくとも１つの面が容易な構成で筐体に接触することができ、筐体と金属部材のアースラインの確保が強固なものとなるため、光ディスク装置の外形を構成する一平面のベゼル主平面部からの外来電磁波の進入を容易な構成で、確実に防ぐことができるため、耐電磁波シールド特性の安定性と生産性の向上が可能な光ディスク装置を実現することができる。
【００１７】
請求項３記載の発明は、前記金属部材を形成する前記第４の面または前記第５の面の少なくとも一方が、前記トレイが前記筐体内に収納されている時に、前記筐体の主平面部の厚みを形成している面と接触していることを特徴とするものである。金属部材を構成する少なくとも１つの面が筐体の主平面部の厚みを形成している面と接触していることによっ
て、金属部材のシールド効果を確実にすることができるため、光ディスク装置の外形を構成する一平面のベゼル主平面部からの外来電磁波の進入を容易な構成で、確実に防ぐことができるため、耐電磁波シールド特性の安定性と生産性の向上が可能な光ディスク装置を実現することができる。
【００１８】
請求項４記載の発明は、前記金属部材を形成する前記第２の面または前記第３の面の少なくとも一方が、前記筐体の主平面部と略平行であることを特徴とするものである。金属部材を形成する第２面または第３面の少なくとも一方が筐体の主平面部と略平行であることによって、金属部材の少なくとも１つの面が筐体の主平面部の厚みを形成している面と面接触することができ、筐体と金属部材のアースラインの確保が確実かつ強固なものとなるため、光ディスク装置の外形を構成する一平面のベゼル主平面部からの外来電磁波の進入を容易な構成で、確実に防ぐことができるため、耐電磁波シールド特性の安定性と生産性の向上が可能な光ディスク装置を実現することができる。
【００１９】
請求項５記載の発明は、前記金属部材を形成する前記第４の面または前記第５の面の少なくとも一方が、ベゼルとの間に空隙を有したことを特徴とするものである。金属部材を形成する第４の面または第５の面の少なくとも１つの面とベゼルとの間に空隙を有したことによって、前記第４の面または前記第５の面の少なくとも一方が、筐体の主平面部の厚みを形成している面と容易に面接触することができ、筐体と金属部材のアースラインの確保が確実かつ強固なものとなるため、光ディスク装置の外形を構成する一平面のベゼル主平面部からの外来電磁波の進入を容易な構成で、確実に防ぐことができるため、耐電磁波シールド特性の安定性と生産性の向上が可能な光ディスク装置を実現することができる。
【００２０】
請求項６記載の発明は、前記金属部材が、前記ベゼルの主平面部と直交する方向で前記ベゼルと嵌合することを特徴とするものである。金属部材が、ベゼルの主平面部と直交する方向でベゼルと嵌合することによって、金属部材とベゼルの組立を容易に行なうことができるため、耐電磁波シールド特性の安定性と生産性の向上が可能な光ディスク装置を実現することができる。
【００２１】
請求項７記載の発明は、前記金属部材が、切り欠きまたは貫通孔の少なくとも一方を有することを特徴とするものである。前記金属部材が、切り欠きまたは貫通孔の少なくとも一方を有することによって、金属部材の弾性力を向上することができたり、金属部材とベゼルとの位置関係の制御を容易に行なうことができるため、耐電磁波シールド特性の安定性と生産性の向上が可能な光ディスク装置を実現することができる。
【００２２】
（実施の形態１）
図１は、本発明の一実施の形態における光ディスク装置の外観図であり、トレイ３を筐体２から引き出した図である。図１において、１は光ディスク装置、２は筐体、３はトレイ、４は光ピックアップモジュール、５はレール、６ａは筐体側レール保持部、６ｂはトレイ側レール保持部、７はスピンドルモータ、７ａは光ディスク装着部、８は金属製カバー、８ａは開口、９はキャリッジ、１０はベゼル、１１はイジェクトボタン、１２は光ピックアップである。
【００２３】
図１において、筐体２は上部筐体部２ａと下部筐体部２ｂを組み合わせて袋状に構成されている。上部筐体部２ａと下部筐体部２ｂとは好ましくは螺旋などを用いて、互いに強固に固定されている。筐体２の構成材料としては鉄，鉄合金，アルミニウム，アルミニウム合金，マグネシウム合金等の金属材料や樹脂材料によって構成される。また、上部筐体部２ａ及び下部筐体部２ｂはそれぞれ同種の材料で構成しても良いし、異種の材料で構成しても良い。また、上部筐体部２ａ及び下部筐体部２ｂそれぞれの主平面部の平均肉厚は０．４ｍｍ〜１．６ｍｍの間であり、この平均肉厚の比較的薄い場合には上部筐体部２ａ
及び下部筐体部２ｂは金属材料で構成され、例えば、金属板をプレス加工などによって形成される。また、平均肉厚の比較的厚い場合には上部筐体部２ａ及び下部筐体部２ｂは樹脂材料やダイカスト（アルミニウム合金やマグネシウム合金など）で構成される。筐体２を樹脂材料で構成した場合には、光ディスク装置１の軽量化を実現できる。３は筐体２に出没自在に設けられたトレイで、このトレイ３は樹脂製のフレームで構成され、光ピックアップモジュール４が設けられている。光ピックアップモジュール（ＰＵＭ）４には光学系を構成した光ピックアップ１２と光ディスクを回転させるスピンドルモータ７及び制御回路（図示せず）で構成されている。光ピックアップ１２は、光ディスクに光を照射することで、光ディスクに情報を書き込むかあるいは情報を読み出す動作の少なくとも一方を行なう。スピンドルモータ７には光ディスク装着部７ａがあり、光ディスクを装着し回転駆動させる。トレイ３の両側部にはトレイ側レール保持部６ｂがあり、両側部共にレール５と光ディスク引き出し方向に摺動自在に嵌合している。また、レール５は筐体２両側部内面に設けられたレールガイドとも光ディスク引き出し方向に摺動自在に嵌合しており、トレイ３は筐体２から光ディスクが着脱できるよう引き出すことが出来る。
【００２４】
筐体２の奥部には固定して設けられた制御基板があり、制御基板には信号処理系のＩＣや電源回路などが搭載されている。トレイ３に設けられた図示していない制御基板同士を電気的に接続するフレキシブルなプリント基板は、略Ｕ字型に形成され、外部コネクタはコンピュータ等の電子機器に設けられた電源／信号ラインと接続される。そして、この外部コネクタを介して光ディスク装置１内に電力を供給したり、或いは外部からの電気信号を光ディスク装置１内に導いたり、あるいは光ディスク装置１で生成された電気信号を電子機器などに送出する。トレイ３の前端面に設けられたベゼル１０には、イジェクトボタン１１が設けられており、このイジェクトボタン１１を押すことで、筐体２に設けられた係合部（図示せず）とトレイ３に設けられた係合部（図示せず）との係合を解除する。
【００２５】
以下、本発明の実施の形態１の特徴部分について説明する。
【００２６】
図２は、本発明の一実施の形態における光ディスク装置のベゼルと金属部材を示す図であり、イジェクトボタン１１が設けられた面と反対側の主平面部を見た図で、電磁波シールドとして導電性の金属部材を用いたものである。図３は、本発明の一実施の形態における光ディスク装置の金属部材を示す図であり、図３（ａ）はトレイ側から見た外観斜視図で、図３（ｂ）はトレイ側から見た平面図である。図４は、本発明の一実施の形態における光ディスク装置の筐体を示す図であり、ベゼル側から見た外観斜視図である。図５は、本発明の一実施の形態における光ディスク装置の筐体と導電性の金属部材が接触している様子を示す図であり、図５（ａ）は上部筐体部側を示す図で、図５（ｂ）は下部筐体部を示す図である。図６は、本発明の一実施の形態における光ディスク装置のベゼルと金属部材の組立の様子を示す図である。図２〜図６において、２ａは上部筐体部、２ｂは下部筐体部、２ｃ，２ｄは面、１０はベゼル、１１はイジェクトボタン、１５は金属部材、１５ａは第１の面，１５ｂは第２の面，１５ｃは第３の面，１５ｄは第４の面、１５ｅは第５の面、１６ａ，１６ｂ，１６ｃは切り欠き、１７は貫通孔、１８は空隙、１９は突起、２０は突起である。ベゼル１０は、上部筐体部２ａと下部筐体部２ｂを組み合わせて袋状の筐体２の開口を塞ぐことによって、ゴミなどが筐体２の内部に入り込むことや使用者が動作中の光ディスク装置１の内部に触れることを防ぐ役目を果たす。また同時に、ベゼル１０は携帯電話などの他の電子機器から発生される電磁波が光ディスク装置１の内部に進入し、光ディスク装置１を誤動作させたり、不具合を発生させるのを防ぐために、ベゼル１０のイジェクトボタン１１が設けられた面と反対側の主平面部全面に外来電磁波対策を行なうのが一般的である。通常、ベゼル１０のイジェクトボタン１１が設けられた面と反対側の主平面部には、使用者がイジェクトボタン１１を押す際に光ディスク装置１に影響を与える静電気対策のための金属平板１４がベゼル１０のイジェクトボタン１１近傍にのみ設けられているため、それ以外の部分を導電布１３で覆うこととなる。
【００２７】
本発明では、前記ベゼルが２つの主平面部の少なくとも一方に、ステンレス、銅、鉄、アルミニウムやそれらの合金などの導電性の金属部材を配置し、前記トレイが前記筐体内に収納されている時に、前記導電性の金属部材を形成する少なくとも１つの面が筐体に接触していることを特徴とするものである。
【００２８】
本実施の形態では、図２に示すようにベゼル１０の２つの主平面部の少なくとも一方であるイジェクトボタン１１が設けられた面と反対側の主平面部に導電性の金属部材１５を配置した。導電性の金属部材１５の材料には、材料のばね性を考慮してステンレスを選定した。金属部材１５は、図３に示すようにベゼル１０の主平面部の少なくとも一方に接する面である第１の面１５ａと、第１の面１５ａに対して略９０°の角度で隣接する第２の面１５ｂ，第３の面１５ｃと、第２の面１５ｂと第３の面１５ｃに対して各々略９０°の角度で隣接する第４の面１５ｄ，第５の面１５ｅを有し、第２の面１５ｂと第３の面１５ｃが略平行に対向し、第４の面１５ｄと第５の面１５ｅが筐体２に接触しているものとした。ベゼル１０の主平面部に接する金属部材１５の面１５ａは、ベゼル１０の主平面部に直接接触しても良いし、ベゼル１０の主平面部から伸びている突起１９などにより支持されていても良い。本実施の形態の場合は、導電性の金属部材１５とベゼル１０の組立を容易にするために、ベゼル１０に対して金属部材１５の挿入量が少ないベゼル１０の主平面部から伸びている突起１９で支持することとした。金属部材１５が設けられるのは、ベゼル１０のイジェクトボタン１１が設けられた面や、ベゼル１０のイジェクトボタン１１が設けられた面とイジェクトボタン１１が設けられた面と反対側の主平面部の双方に設けられても良いのであるが、この場合、イジェクトボタン１１が設けられた面で金属部材１５が剥き出しになるのを防ぐために化粧板などが余分に必要となるため、生産性や材料費の観点よりあまり好ましくない。金属部材１５を形成する第４の面１５ｄと第５の面１５ｅは、図４に示す筐体２を構成する上部筐体部２ａの主平面部の厚みを形成している面２ｃと下部筐体部２ｂの主平面部の厚みを形成している面２ｄにそれぞれ接触しており、第１の面１５ａと第２の面１５ｂ、第１の面１５ａと第３の面１５ｃが形成する角度はそれぞれ略９０°つまり８５°〜９５°程度の角度であり、第２の面１５ｂと第４の面１５ｄ、第３の面１５ｃと第５の面１５ｅが形成する角度はそれぞれ略９０°つまり８５°〜９５°程度の角度である。また、対向する第２の面１５ｂ、第３の面１５ｃが形成する角度は、略平行つまり１７０°〜１９０°である。このような構成により、金属部材１５は、筐体２内部での占有空間を小さくすることができる。さらに、第２の面１５ｂや第３の面１５ｃが、金属部材１５の弾性力により、筐体２の主平面部と略平行方向に移動することで、第４の面１５ｄと第５の面１５ｅは筐体２の主平面部の厚みを形成している面２ｃ，面２ｄと容易に接触することが可能となる。また、金属部材１５の第４の面１５ｄと筐体２の面２ｃの接触と、金属部材１５の第５の面１５ｅと筐体２の面２ｃの接触は、同時に双方で接触するのが本発明の効果を最も発揮するのであるが、コスト面を考慮して、金属部材１５を形成する第２の面１５ｂと第４の面１５ｄや、第３の面１５ｃと第５の面１５ｅを省略する場合などがある。さらにまた、金属部材１５を形成する第４の面１５ｄや第５の面１５ｅのみを省略する場合もある。
【００２９】
これらのことによって、導電性の金属部材１５を形成する少なくとも１つの面が筐体２に接触していることにより、筐体２と導電性の金属部材１５のアースラインの確保が強固なものとなるため、光ディスク装置１の外形を構成する一平面のベゼル１０の主平面部からの外来電磁波の進入を容易な構成で、確実に防ぐことができる。また、金属部材１５の第４の面１５ｄ，第５の面１５ｅと筐体２の主平面部の厚みを形成している面２ｃ，面２ｄの接触を面接触にすることができ、しかも導電性の金属部材１５とベゼル１０はその組立精度の影響をあまり受けることなく容易に接触することが可能となる。
【００３０】
このことによって、光ディスク装置１の動作に有害な外来電磁波が光ディスク装置１内
部へ進入してくるのを容易な構成で、確実に防ぐことができるため、耐電磁波シールド特性の安定性と生産性の向上が可能な光ディスク装置１を実現することができる。また、本実施の形態には、図３に示すように導電性の金属部材１５の第１の面１５ａに切り欠き１６ａや切り欠き１６ｂが設けてある。こうすることにより、金属部材１５の弾性力を高めることができ、第４の面１５ｄと第５の面１５ｅの可動距離を大きくすることができる。また、切り欠き１６ａや切り欠き１６ｂを設けることによって発生する貫通孔には、導電性のシートを貼り付けても良い。こうすることにより、金属部材１５のシールド効果を更に確実にすることができる。
【００３１】
さらに、図５（ａ），図５（ｂ）に示すように、トレイ３が筐体２内に収納されている時に、筐体２と接触する導電性の金属部材１５は、第４の面１５ｄまたは第５の面１５ｅの少なくとも一方とベゼル１０の間に空隙１８を有しており、この空隙１８により、第４の面１５ｄまたは第５の面１５ｅの少なくとも一方は、筐体２の主平面部の厚みを形成している面２ｃ，面２ｄと容易に面接触することができるようになり、接触性も向上する。さらに、金属部材１５を形成する第４の面１５ｄまたは第５の面１５ｅの少なくとも一方とベゼル１０の間に設けられた空隙１８の部分に発泡ウレタン樹脂や発泡スチレン樹脂などの弾性体を配置することにより、金属部材１５の第４の面１５ｄ，第５の面１５ｅと筐体２の主平面部の厚みを形成している面２ｃ，面２ｄの接触性は更に向上する。なお、導電性の金属部材１５の主平面部１５ｅに設けられている切り欠き１６ａや切り欠き１６ｂは、図２，図３に示す切り欠き形状だけに限定されるものでは無く、また、設けられる切り欠きの数量も図２，図３に示す切り欠き数量に限定されるものでは無い。導電性の金属材料１５の材質や板厚によっては切り欠き１６ａや切り欠き１６ｂが不要な場合もある。また、本実施の形態のように上部筐体部２ａの主平面部の厚みを形成している面を折り返すことにより、面２ｃの面積を広くすることができ、金属部材１５の第４の面１５ｄと上部筐体部２ａの面２ｃの接触面積を大きくすることができる。同様に、下部筐体部２ｂの主平面部の厚みを形成している面を折り返すことにより、面２ｄの面積を広くすることができ、金属部材１５の第５の面１５ｅと下部筐体部２ｂの面２ｄの接触面積を大きくすることができる。さらに、金属部材１５は、図６に示すように、ベゼル１０の主平面部と直交する方向で嵌合し、金属部材１５に設けられた切り欠き１６ｃや貫通孔１７を利用して位置規制を行なう。金属部材１５とベゼル１０の嵌合は、金属部材１５に設けられた切り欠き１６ｃや貫通孔１７にベゼル１０に設けられた嵌合用突起２０などを通し、その嵌合用の突起２０を溶着することなどにより嵌合を行なう。金属部材１５とベゼル１０の嵌合は、他に、螺旋による嵌合や鍵型の突起による嵌合や接着剤による固定でも良いが、生産性に優れ比較的小さい空間での嵌合が必要な本実施の形態では、金属部材１５に設けられた切り欠き１６ｃや貫通孔１７にベゼル１０に設けられた嵌合用の突起２０を通し、その嵌合用の突起２０を溶着することにより嵌合を行なうのが好ましい。こうすることにより、金属部材１５とベゼル１０の組立を容易に行なうことや導電性の金属部材１５とベゼル１０との位置規制を容易に行なうことができる。
【００３２】
ここで、従来のベゼル１０の外来電磁波に対する電磁波シールドについて説明する。
光ディスク装置１の外来電磁波の進入を防止するためには、光ディスク装置１全体を覆う筐体２とベゼル１０に対策が必要である。筐体２は、導電性の金属材料で構成されていることが一般的であるため特に問題無いのであるが、ベゼル１０は搭載されるパーソナルコンピュータとのデザインに統一感を出すため、通常パーソナルコンピュータの外形と同様の樹脂材料が用いられる。そのため、ベゼル１０は、その内側つまりイジェクトボタン１１が設けられた面と反対側の主平面部全面に外来電磁波対策を行なうのが一般的であり、通常、ベゼル１０のイジェクトボタン１１が設けられた面と反対側の主平面部における静電気対策の金属平板１４以外の部分を導電布１３で覆うことにより、外来電磁波の進入を防いでいた。
【００３３】
しかしながら、図８に示す金属平板１４と導電布１３の双方でベゼル１０が覆われている場合においては、ベゼル１０を覆った導電布１３の一部を筐体２に接触させ、アースラインを確保する必要があるが、導電布１３を確実に筐体２に接触させるために行なう導電布１３のベゼル１０への取り付け作業は、非常に難しく生産性の低下を招いていた。
【００３４】
また、導電布１３は布製であるため、その位置規制が容易ではなく、電磁波シールド特性に対してばらつきを生じていた。
【００３５】
ところが、ベゼル１０が主平面部の少なくとも一方に導電性の金属部材１５を配置し、トレイ３が筐体２内に収納されている時に、導電性の金属部材１５を形成する少なくとも１つの面が筐体２に接触している本発明の一実施の形態では、導電性の金属部材１５が電磁波シールドの役目を果たし、かつ筐体２と導電性の金属部材１５のアースラインが強固で確実なものとなるため、光ディスク装置１の外形を構成する一平面のベゼル主平面部からの外来電磁波の進入を容易な構成で、確実に防ぐことができる。
【００３６】
そのため、光ディスク装置１の動作に有害な外来電磁波が光ディスク装置１内部へ進入してくるのを容易な構成で、確実に防ぐことができるため、耐電磁波シールド特性の安定性と生産性の向上が可能な光ディスク装置１を実現することができる。
【００３７】
なお、本実施の形態では、金属部材１５の第１の面１５ａと第２の面１５ｂ、第１の面１５ａと第３の面１５ｃが形成する角度はそれぞれ略９０°つまり８５°〜９５°程度の角度とし、第２の面１５ｂと第４の面１５ｄ、第３の面１５ｃと第５の面１５ｅが形成する角度はそれぞれ略９０°つまり８５°〜９５°程度の角度とし、また、対向する第２の面１５ｂ、第３の面１５ｃが形成する角度は、略平行つまり１７０°〜１９０°としたが、第４の面１５ｄ，第５の面１５ｅは、少なくとも筐体２を構成する上部筐体部２ａの主平面部の厚みを形成している面２ｃまたは下部筐体部２ｂの主平面部の厚みを形成している面２ｄの一方に接することができれば良いため、金属部材１５の第１の面１５ａと第２の面１５ｂ、第１の面１５ａと第３の面１５ｃが形成する角度がそれぞれ略９０°つまり８５°〜９５°程度の角度とすることや第２の面１５ｂと第４の面１５ｄ、第３の面１５ｃと第５の面１５ｅが形成する角度がそれぞれ略９０°つまり８５°〜９５°程度の角度とすることや、また、対向する第２の面１５ｂ、第３の面１５ｃが形成する角度が略平行つまり１７０°〜１９０°とすることに限定されるものではない。最小の空間で本発明の構成を実現しようと思えば、金属部材１５の第１の面１５ａと第２の面１５ｂ、第１の面１５ａと第３の面１５ｃが形成する角度はそれぞれ略９０°つまり８５°〜９５°程度の角度とし、第２の面１５ｂと第４の面１５ｄ、第３の面１５ｃと第５の面１５ｅが形成する角度はそれぞれ略９０°つまり８５°〜９５°程度の角度とし、対向する第２の面１５ｂ、第３の面１５ｃが形成する角度は、略平行つまり１７０°〜１９０°とすることが好ましい。また、金属部材１５の第４の面１５ｄ，第５の面１５ｅと筐体２の接触は、筐体２を構成する上部筐体部２ａの主平面部の厚みを形成している面２ｃと下部筐体部２ｂの主平面部の厚みを形成している面２ｄのそれぞれに接触することに限定されるものではないが、外来電磁波に対するシールド効果を最大限にするためには、金属部材１５の第４の面１５ｄ，第５の面１５ｅと筐体２の接触は、筐体２を構成する上部筐体部２ａと下部筐体部２ｂのそれぞれに接触することが好ましい。さらに、金属部材１５の第４の面１５ｄ，第５の面１５ｅと筐体２の接触は面接触としたが、第４の面１５ｄ，第５の面１５ｅと筐体２の接触は面接触に限らず、点接触や線接触でも良いが、導電性の金属部材１５とベゼル１０の組立精度と耐電磁波シールド特性の安定性を考慮した場合、第４の面１５ｄ，第５の面１５ｅと筐体２の接触は面接触が好ましい。
【産業上の利用可能性】
【００３８】
本発明は、光ディスク装置の動作に有害な外来電磁波が光ディスク装置内部へ進入して
くるのを容易な構成で、確実に防ぐことができるため、耐電磁波シールド特性の安定性と生産性の向上が可能な光ディスク装置を実現することができ、光ピックアップにより光ディスクに対して情報の記録又は再生の少なくとも一方を行なう光ディスク装置などに適応可能である。
【図面の簡単な説明】
【００３９】
【図１】本発明の一実施の形態における光ディスク装置の外観図
【図２】本発明の一実施の形態における光ディスク装置のベゼルと導電布を示す図
【図３】本発明の一実施の形態における光ディスク装置の金属部材を示す図
【図４】本発明の一実施の形態における光ディスク装置の筐体を示す図
【図５】本発明の一実施の形態における光ディスク装置の筐体と導電性の金属部材が接触している様子を示す図
【図６】本発明の一実施の形態における光ディスク装置のベゼルと金属部材の組立の様子を示す図
【図７】従来の光ディスク装置の外観図
【図８】従来の光ディスク装置のベゼルを示す図
【符号の説明】
【００４０】
１    光ディスク装置
２    筐体
２ａ    上部筐体部
２ｂ    下部筐体部
２ｃ    面
２ｄ    面
３    トレイ
４    光ピックアップモジュール
５    レール
６ａ    筐体側レール保持部
６ｂ    トレイ側レール保持部
７    スピンドルモータ
７ａ    光ディスク装着部
８    金属製カバー
８ａ    開口
９    キャリッジ
１０    ベゼル
１１    イジェクトボタン
１２    光ピックアップ
１３    導電布
１４    金属平板
１５    金属部材
１５ａ    第１の面
１５ｂ    第２の面
１５ｃ    第３の面
１５ｄ    第４の面
１５ｅ    第５の面
１６ａ    切り欠き
１６ｂ    切り欠き
１６ｃ    切り欠き
１７    貫通孔
１８    空隙
１９    突起
２０    突起
【図１】
2006024278.tif 000003
【図２】
2006024278.tif 000004
【図３】
2006024278.tif 000005
【図４】
2006024278.tif 000006
【図５】
2006024278.tif 000007
【図６】
2006024278.tif 000008
【図７】
2006024278.tif 000009
【図８】
2006024278.tif 000010